(57)【特許請求の範囲】
【請求項１】
第１録画処理を実行する第１録画手段と、
前記第１録画手段による前記第１録画処理とは独立して、第２録画処理を実行する第２録画手段と、
前記第１録画手段が実行する第１録画処理と並行して、当該第１録画処理の録画対象番組の映像情報及び／又は音声情報の特徴に基づいて当該録画対象番組を複数の区間にチャプタ分割するチャプタ分割手段と、
前記第１録画処理及び前記第２録画処理が同時に実行されている場合、前記チャプタ分割手段が前記チャプタ分割することを停止するように制御し、前記第１録画処理及び前記第２録画処理が同時に実行されていない場合、前記チャプタ分割手段が前記チャプタ分割することを開始するように制御する制御手段と、
を具備する番組録画装置。
【請求項２】
前記チャプタ分割手段は、前記複数の区間に対して映像情報及び／又は音声情報の特徴に対応するカテゴリ情報を付与することを特徴とする請求項１記載の番組録画装置。
【請求項３】
前記制御手段は、前記チャプタ分割手段が、前記第１録画処理及び前記第２録画処理が同時に実行されている期間の区間に対して、所定のカテゴリ情報を付与するように制御することを特徴とする請求項２記載の番組録画装置。
【請求項４】
前記制御手段は、前記チャプタ分割手段が、前記第１録画処理及び前記第２録画処理が同時に実行されている期間の区間に対して、前記第１録画処理及び前記第２録画処理が同時に実行される直前のカテゴリ情報を付与するように制御することを特徴とする請求項２記載の番組録画装置。
【請求項５】
前記制御手段は、前記チャプタ分割手段が、前記第１録画処理及び前記第２録画処理が同時に実行されている期間の区間に対して、前記カテゴリ情報の付与を除外するように制御することを特徴とする請求項２記載の番組録画装置。
【請求項６】
前記制御手段は、前記第１録画処理及び前記第２録画処理が同時に実行される期間に、前記チャプタ分割手段が前記チャプタ分割することを停止するように制御することを特徴とする請求項１記載の番組録画装置。
【請求項７】
番組を録画する装置によって実行される番組録画方法であって、
第１録画処理を実行し、
前記第１録画処理とは独立して、第２録画処理を実行し、
第１録画処理と並行して、当該第１録画処理の録画対象番組の映像情報及び／又は音声情報の特徴に基づいて当該録画対象番組を複数の区間にチャプタ分割し、
前記第１録画処理及び前記第２録画処理が同時に実行される場合、チャプタ分割手段が前記チャプタ分割することを停止するように制御し、
前記第１録画処理及び前記第２録画処理が同時に実行されていない場合、前記チャプタ分割手段が前記チャプタ分割することを開始するように制御する番組録画方法。
【発明の詳細な説明】
【技術分野】
【０００１】
本発明の実施形態は、録画処理を含む複数の処理を実行する番組録画装置及び番組録画方法に関する。
【背景技術】
【０００２】
近年、複数の番組を同時に録画する同時録画機能や、番組の映像音声を分析することで番組を時間的に複数の区間にチャプタ分割する自動チャプタ分割機能を実行する機器が広く普及している。これらの機能の実行は、分析処理のためのＣＰＵ負荷が大きいことが知られている。従ってこれらの機能が並行して実行される場合、例えばＣＰＵの処理能力不足などの要因により、正常に実行されない機能が発生する可能性があった。
【先行技術文献】
【特許文献】
【０００３】
【特許文献１】特開２００２−２３２８４６号公報  （図１  段落００４１）
【発明の概要】
【発明が解決しようとする課題】
【０００４】
しかし従来の手法では、所定の条件が満たされない場合、録画を含む複数の処理のうちの特定の処理の一部だけが実行されることがあり、複数の処理が確実に実行されているとは言い難かった。
【０００５】
すなわち従来から、録画処理を含む複数の処理を並行して確実に実行することを容易に可能とする手法が求められていた。そこで本発明の実施形態は、上述した課題を解決するために、録画処理を含む複数の処理を並行して確実に実行することを容易に可能とすることができる番組録画装置及び番組録画方法を提供する。
【課題を解決するための手段】
【０００６】
本発明の実施形態は上述した課題を解決するため、第１録画処理を実行する第１録画手段と、前記第１録画手段による前記第１録画処理とは独立して、第２録画処理を実行する第２録画手段と、前記第１録画手段が実行する第１録画処理と並行して、当該第１録画処理の録画対象番組の映像情報及び／又は音声情報の特徴に基づいて当該録画対象番組を複数の区間にチャプタ分割するチャプタ分割手段と、前記第１録画処理及び前記第２録画処理が同時に実行される場合、前記チャプタ分割手段が前記チャプタ分割することを停止するように制御する制御手段と、を具備する番組録画装置を提供する。
【０００７】
また本発明の実施形態は上述した課題を解決するため、番組を録画する装置によって実行される番組録画方法であって、第１録画処理を実行し、前記第１録画処理とは独立して、第２録画処理を実行し、第１録画処理と並行して、当該第１録画処理の録画対象番組の映像情報及び／又は音声情報の特徴に基づいて当該録画対象番組を複数の区間にチャプタ分割し、前記第１録画処理及び前記第２録画処理が同時に実行されている期間は、前記チャプタ分割手段が前記チャプタ分割することを停止するように制御する番組録画方法を提供する。
【図面の簡単な説明】
【０００８】
【図１】本発明の実施形態に係る番組録画装置であるテレビジョン受像機の構成を示すブロック図。
【図２】信号処理制御部Ａに備えられ、入力されたＴＳ信号に対する同時録画処理及びオートチャプタ分割処理を実行する各ブロックからなるシステム構成図。
【図３】同時録画処理が開始されるタイミングにおける、オートチャプタ分割処理の実行の制御方法を説明するためのフローチャート。
【図４】同時録画処理が終了するタイミングにおける、オートチャプタ分割処理の実行の制御方法を説明するためのフローチャート。
【図５】同時録画処理とオートチャプタ分割処理とが同時に実行された場合のタイムチャートの具体例。
【発明を実施するための形態】
【０００９】
以下、本発明における実施形態について図面を用いて説明する。
図１は、本発明の実施形態に係る番組録画装置であるテレビジョン受像機１０の構成を示すブロック図である。
このテレビジョン受像機１０は、放送波処理部Ａ２１，同Ｂ２２，同Ｃ２３、操作部３１、受光部３２、信号処理制御部Ａ４１、同Ｂ４２、表示器５１、スピーカ５２、ＨＤＤ６１などで構成されている。アンテナ９８は、放送波処理部Ａ２１，同Ｂ２２，同Ｃ２３と接続される。リモートコントローラ（以下、リモコンと称する）９９は受光部３２に対する信号を送信する。このリモコン９９は、赤外線や無線を利用する遠隔操作機器である。
【００１０】
本実施形態に係るテレビジョン受像機１０は、複数の番組を同時に録画すると共に、並行して特定の番組の映像音声信号を出力する。またテレビジョン受像機１０は、録画する番組の映像音声情報の分析も行う。このテレビジョン受像機１０は、番組の同時録画、番組の映像音声出力、及び映像音声情報の分析といった複数の処理が並行して確実に実行されるように制御する。
【００１１】
放送波処理部Ａ２１，同Ｂ２２，同Ｃ２３それぞれは、同じ処理を実行する機能ブロックである。放送波処理部Ａ２１，同Ｂ２２，同Ｃ２３は、地上デジタル放送波に対応するチューナ及び復調器を備える。これら放送波処理部Ａ２１，同Ｂ２２，同Ｃ２３は、アンテナ９８で受信された受信信号を受け、この受信信号に対する特定チャンネルの選局処理や復調処理などを実行する。そして放送波処理部Ａ２１，同Ｂ２２，同Ｃ２３は、これらの処理を実行して得られた、番組の映像音声情報や番組名等の番組関連情報が含まれるトランスポートストリーム信号（以下、ＴＳ信号と称する）を信号処理制御部Ａ４１，同Ｂ４２へ出力する。この放送波処理部Ａ２１，同Ｂ２２，同Ｃ２３それぞれは、指示されたチャンネルに対する選局処理などを互いに独立して実行する。放送波処理部Ａ２１，同Ｂ２２，同Ｃ２３の全て又はいくつかは、地上デジタル放送ではなく衛星デジタル放送に対応する機能ブロックであってもよい。
【００１２】
操作部３１は、複数の操作キーを有し、複数の操作キーそれぞれに応じた操作情報を信号処理制御部Ｂ４２へ出力する。同様に受光部３２は、リモコン９９から送信された信号を受光して、受光した信号に応じた操作情報を信号処理制御部Ｂ４２へ出力する。この操作部３１及び／又はリモコン９９は、複数の処理それぞれを実行されるための操作キーを備えている。
【００１３】
信号処理制御部Ａ４１，同Ｂ４２それぞれは、同じ処理を実行することができる機能ブロックである。本実施形態では、信号処理制御部Ａ４１，同Ｂ４２それぞれが実行する処理は分担されている。これら信号処理制御部Ａ４１，同Ｂ４２は、信号処理制御部Ａ４１，同Ｂ４２自身に備えられた各ブロックや、信号処理制御部Ａ４１，同Ｂ４２に接続された各ブロックを利用して、それぞれに分担された処理を実行する。
【００１４】
信号処理制御部Ａ４１は、信号処理制御部Ｂ４２からの指示に応じて、放送波処理部Ａ２１，同Ｂ２２といった入力ソースの何れかからのＴＳ信号の入力を選択する。信号処理制御部Ａ４１は、選択した入力ソースからのＴＳ信号に基づく情報に対して、録画するためのフォーマット変換処理を施し、処理を施された情報をＨＤＤ６１に出力して記憶させる。また信号処理制御部Ａ４１は、入力されたＴＳ信号に基づく映像音声情報を複数のチャプタに分割すると共に、分割したチャプタに関する情報をＨＤＤ６１に出力して記憶させる。
【００１５】
本実施形態では信号処理制御部Ａ４１は、放送波処理部Ａ２１及び同Ｂ２２から入力されたＴＳ信号に基づく情報それぞれを並行してＨＤＤ６１に記憶させる同時録画処理を実行する。また信号処理制御部Ａ４１は、放送波処理部Ａ２１，同Ｂ２２の何れかから入力されたＴＳ信号に係る番組データを複数のチャプタに分割するオートチャプタ分割処理を実行する。そしてこの信号処理制御部Ａ４１は、同時録画処理及びオートチャプタ分割処理を並行して確実に実行するように制御する。
【００１６】
信号処理制御部Ｂ４２は、操作部３１又は、受光部３２を介したリモコン９９からの操作情報に応じて、信号処理制御部Ａ４１に対して、何れの入力ソースからのＴＳ信号を選択するかを指示する。また信号処理制御部Ｂ４２は、操作部３１又はリモコン９９からの操作情報に応じて、放送波処理部Ｃ２３に何れのチャンネルの処理を実行させるかを指示する。信号処理制御部Ｂ４２は、入力された特定チャンネルのＴＳ信号に復号処理を施して、処理を施された映像音声信号を表示器５１及びスピーカ５２へ出力する。
【００１７】
表示器５１は、信号処理制御部Ｂ４２から入力された映像信号を表示する表示パネルを含む表示モジュールである。表示器５１には、例えばＬＣＤ（Liquid Crystal Display）やＰＤＰ（Plasma Display Panel）といった薄型平面ディスプレイを適用することができる。
【００１８】
スピーカ５２は、信号処理制御部Ｂ４２から入力された音声信号を出力する。スピーカ５２として、左右チャンネル用に２つ、更には、入力された音声信号のうち低周波数の音域を出力するサブウーハが設けられてもよい。
【００１９】
ＨＤＤ６１は、記憶媒体であるハードディスクに対して、信号処理制御部Ａ４１から要求された情報を読み出す処理又は書き込む処理を実行するドライブ装置である。本実施形態ではこのＨＤＤ６１は、信号処理制御部Ａ４１によって実行される同時録画処理において、信号処理制御部Ａ４１から出力された情報を記憶する。またＨＤＤ６１は、信号処理制御部Ａ４１によって実行されるオートチャプタ分割処理において、信号処理制御部Ａ４１から出力されたチャプタに関する情報を記憶する。ＨＤＤ６１は、ハードディスクを利用するドライブ装置でなく、記憶媒体である半導体素子に対して情報を読み出す処理又は書き込む処理を実行するＳＳＤ（Solid State Drive）であってもよい。このＨＤＤ６１は、テレビジョン受像機１０の外部に備えられても良い。
【００２０】
またテレビジョン受像機１０は、前述した複数のブロックだけでなく他のブロックを備えてもよい。
例えば、テレビジョン受像機１０の外部から受けた所定フォーマットの規格に準拠した態様の信号から必要な情報を抽出する情報抽出部を有し、外部とのインターフェース機能を実行するブロック（不図示）が備えられてもよい。所定フォーマットは、ＨＤＭＩ（登録商標）規格、ＵＳＢ規格又はＩＥＥＥ１３９４規格などが適用可能である。このブロックは、これらの規格に準じた接続端子を介して接続された外部機器や、ＨＤＤ、メモリカードなどの記憶媒体から受けた情報から抽出したＴＳ信号を信号処理制御部Ａ４１，同Ｂ４２へ出力する。信号処理制御部Ａ４１，同Ｂ４２は、入力ソースの一つとして、このブロックから入力されるＴＳ信号を選択することも可能である。
【００２１】
またテレビジョン受像機１０は、ＬＡＮ又はＷＡＮなどのネットワークを介して通信を行う通信処理部を有するネットワーク通信機能を実現するブロック（不図示）を備えてもよい。このブロックは、接続したネットワーク先の特定サーバや記憶媒体などの情報提供源から、コンテンツの映像音声情報やコンテンツ関連情報が含まれる情報を受け、この情報に基づくＴＳ信号を信号処理制御部Ａ４１，同Ｂ４２へ出力する。信号処理制御部Ａ４１，同Ｂ４２は、入力ソースの一つとして、このブロックから入力されるＴＳ信号を選択することも可能である。
【００２２】
なお本実施形態は、本発明に係る構成を適用した番組録画装置として、テレビジョン受像機１０を例とした実施形態である。しかし本実施形態に係る構成が、パーソナルコンピュータ、携帯型移動端末装置、ＨＤＤ／光ディスクレコーダ、セットトップボックスなどの機器に適用された実施形態であっても構わない。また本発明に係る番組録画装置は、例えば放送波種別、信号取得経路などといった項目において限定されるものではなく、複数の番組の同時録画、及び、映像音声情報の分析といった複数の処理を並行して実行することが可能であればよい。
【００２３】
このような構成により、本発明の実施形態に係るテレビジョン受像機１０に備えられた複数のブロックは、番組の同時録画、番組の映像音声出力、及び映像音声情報の分析といった複数の処理が並行して確実に実行されるように制御する。従ってこのテレビジョン受像機１０は、録画処理を含む複数の処理を並行して確実に実行することを容易に可能とすることができる。これらの処理は、主に信号処理制御部Ａ４１，Ｂ４２が録画処理を含む複数の処理を並行して実行することで実現される。
【００２４】
次に、図２を用いて、図１で説明した信号処理制御部Ａ４１に備えられ、入力されたＴＳ信号に対する同時録画処理及びオートチャプタ分割処理を実行する各ブロックの構成を説明する。
【００２５】
図２は、信号処理制御部Ａ４１に備えられ、入力されたＴＳ信号に対する同時録画処理及びオートチャプタ分割処理を実行する各ブロックからなるシステム構成図である。
【００２６】
本実施形態に係るテレビジョン受像機１０は、番組の同時録画及び映像音声情報の分析といった複数の処理が並行して確実に実行されるように制御する。これら複数の処理は、所定の条件が満たされない場合、特定の処理の実行が制限されることで他の処理が確実に実行されるように制御される。
【００２７】
信号処理制御部Ａ４１は、ＴＳ信号処理部Ａ２０１、同Ｂ２０２、録画処理部Ａ２０３、同Ｂ２０４、映像音声分析部２０５、処理制御部２０６などを備えている。ＴＳ信号処理部Ａ２０１，同Ｂ２０２それぞれは、同じ処理を独立して実行することができる機能ブロックである。録画処理部Ａ２０３，同Ｂ２０４それぞれも、同じ処理を独立して実行することができる機能ブロックである。
【００２８】
ＴＳ信号処理部Ａ２０１は、放送波処理部Ａ２１から入力されたＴＳ信号に対して映像音声情報の分離処理を施し、分離した映像情報と音声情報とを録画処理部Ａ２０３へ出力する。ＴＳ信号処理部Ａ２０１は、処理制御部２０６による制御に基づいて分離処理を実行する。
【００２９】
ＴＳ信号処理部Ｂ２０２は、放送波処理部Ｂ２２から入力されたＴＳ信号に対して映像音声情報の分離処理を施し、分離した映像情報と音声情報とを録画処理部Ｂ２０４へ出力する。ＴＳ信号処理部Ｂ２０２は、処理制御部２０６による制御に基づいて分離処理を実行する。
【００３０】
録画処理部Ａ２０３は、ＴＳ信号処理部Ａ２０１から入力された映像情報と音声情報とに対して録画するためのフォーマット変換処理を施し、処理した情報をＨＤＤ６１へ格納することで録画処理を実行する。録画処理部Ａ２０３は、処理制御部２０６による制御に基づいて録画処理を実行する。
【００３１】
録画処理部Ｂ２０４は、ＴＳ信号処理部Ｂ２０２から入力された映像情報と音声情報とに対して録画するためのフォーマット変換処理を施し、処理した情報をＨＤＤ６１へ格納することで録画処理を実行する。録画処理部Ｂ２０４は、処理制御部２０６による制御に基づいて録画処理を実行する。
【００３２】
すなわち同時録画処理は、録画処理部Ａ２０３による録画処理と録画処理部Ｂ２０４による録画処理とが同時に実行される処理である。
映像音声分析部２０５は、ＴＳ信号処理部Ａ２０１又は同Ｂ２０２から入力された映像情報及び／又は音声情報の特徴を分析する。また映像音声分析部２０５は、分析された特徴に基づいて、入力された映像音声情報に対して複数のチャプタ点を付与する。つまり入力された映像音声情報に係る番組データは、このチャプタ点によって複数のチャプタに分割される。さらに映像音声分析部２０５は、チャプタ点で区切られた複数の区間（チャプタ）それぞれに対して、区間ごとの映像音声の特徴に基づいてそれぞれの区間を分類するための情報を示すカテゴリ情報を付与する。この映像音声分析部２０５は、複数のチャプタ点それぞれを特定するチャプタ点情報とカテゴリ情報とをＨＤＤ６１へ格納する。このチャプタ点情報とカテゴリ情報は、分析対象の映像音声情報と関連づけられてＨＤＤ６１に格納される。
【００３３】
カテゴリ情報は、コンテンツの本編シーン又はコマーシャルメッセージシーンといったシーン種別を示す情報である。このカテゴリ情報は、音楽が演奏される音楽シーンや、大勢の人の歓声が沸き起こるハイライトシーンなどを示す情報であってもよい。また１つの区間に対して複数のカテゴリ情報が付与されてもよい。すなわちカテゴリ情報は、分割された複数のチャプタの映像情報及び／又は音声情報の特徴に対応する情報である。オートチャプタ分割処理は、主として映像音声分析部２０５によって実行される処理である。
【００３４】
処理制御部２０６は、前述した各ブロックを制御して同時録画処理及びオートチャプタ分割処理の実行を制御する。また処理制御部２０６は、何れのチャンネルの処理を実行させるかを放送波処理部Ａ２１，同Ｂ２２に指示する。
【００３５】
なおＴＳ信号処理部Ａ２０１，同Ｂ２０２それぞれは、放送波処理部Ａ２１，同Ｂ２２からではなく、外部機器ＩＦ部やネットワーク通信機能などを実現するブロック（不図示）からのＴＳ信号を処理する構成であってもよいことは言うまでもない。
【００３６】
すなわち、これら複数のブロックによるシステム構成により、信号処理制御部Ａ４１は、同時録画処理及びオートチャプタ分割処理の実行を制御する。従って本実施形態に係るテレビジョン受像機１０は、録画処理を含む複数の処理を並行して確実に実行することを容易に可能とすることができる。
【００３７】
次に、図３及び図４を用いて、図２で説明した信号処理制御部Ａ４１に備えられる各ブロックによって実行される、同時録画処理及びオートチャプタ分割処理の実行の制御方法を説明する。
【００３８】
図３及び図４の説明では、録画処理が実行されていない状態から、先に開始される録画処理を１つ目の録画処理と定義し、１つ目の録画処理が実行された後に、１つ目の録画処理と同時に並行して開始される録画処理を２つ目の録画処理と定義する。
【００３９】
図３は、同時録画処理が開始されるタイミングにおける、オートチャプタ分割処理の実行の制御方法を説明するためのフローチャートである。
処理制御部２０６は、録画処理部Ａ２０３又は録画処理部Ｂ２０４による録画処理を開始するときに、この録画処理が同時刻における２つ目の録画処理であるか否かを判断する（Ｓ３０１）。開始する録画処理が２つ目ではない（１つ目である）場合（Ｓ３０１のＮｏ）、処理制御部２０６は、映像音声分析部２０５が映像音声情報の分析を開始するように制御する（Ｓ３０２）。そして同時録画処理が開始するタイミングにおける処理は終了する。
【００４０】
一方、開始する録画処理が２つ目である（１つ目でない）場合（Ｓ３０１のＹｅｓ）、処理制御部２０６は、映像音声分析部２０５が映像音声情報の分析を停止するように制御する（Ｓ３０３）。そして同時録画処理が開始するタイミングにおける処理は終了する。
【００４１】
すなわち、同時録画処理が開始される場合、オートチャプタ処理は停止することになる。また仮に、同じ時刻に２つの録画処理が開始する同時録画処理である場合も、オートチャプタ分割処理の対象となる一方を１つ目の録画処理、他方を２つ目の録画処理と定義することで、図３に示したフローチャートを適用して処理することが可能である。
【００４２】
図４は、同時録画処理が終了するタイミングにおける、オートチャプタ分割処理の実行の制御方法を説明するためのフローチャートである。
処理制御部２０６は、録画処理部Ａ２０３又は録画処理部Ｂ２０４による録画処理が終了するときに、同時刻における２つの録画処理のうちの一方の録画処理が終了するか否かを判断する（Ｓ４０１）。終了する録画処理が２つのうちの一方の録画処理である（２つ目の録画処理が終了する）場合（Ｓ４０１のＹｅｓ）、処理制御部２０６は、映像音声分析部２０５が映像音声情報の分析を開始するように制御する（Ｓ４０２）。そして同時録画処理が終了するタイミングにおける処理は終了する。
【００４３】
一方、終了する録画処理が２つのうちの一方の録画処理ではない（１つ目の録画処理が終了する）場合（Ｓ４０１のＮｏ）、処理制御部２０６は、映像音声分析部２０５が映像音声情報の分析を停止するように制御する（Ｓ４０３）。そして同時録画処理が終了するタイミングにおける処理は終了する。
【００４４】
すなわち、同時録画処理が終了して、録画処理部Ａ２０３又は録画処理部Ｂ２０４の何れか一方による録画処理となる場合、オートチャプタ処理は開始（再開）することになる。また仮に、同じ時刻に２つの録画処理が終了する同時録画処理であった場合も、オートチャプタ分割処理の対象となる一方を１つ目の録画処理、他方を２つ目の録画処理と定義することで、図４に示したフローチャートを適用して処理することが可能である。
【００４５】
なお、同時録画処理が実行される期間、すなわちオートチャプタ分割処理が停止する期間では、チャプタ分割は実行されないが、この期間に対応する区間に対して所定の条件に基づいて決定されるカテゴリ情報が付与される。また、オートチャプタ分割処理の対象となる番組の録画処理が完了した後に、チャプタ分割が実行されなかった期間に対するオートチャプタ分割処理が実行されるようにしてもよい。
【００４６】
このような動作によって、同時録画処理及びオートチャプタ分割処理の実行は制御される。従って本実施形態に係るテレビジョン受像機１０は、録画処理を含む複数の処理を並行して確実に実行することを容易に可能とすることができる。
【００４７】
次に、図５を用いて、本実施形態に係るテレビジョン受像機１０によって、同時録画処理とオートチャプタ分割処理とが同時に実行された場合のタイムチャートを説明する。
【００４８】
図５は、同時録画処理とオートチャプタ分割処理とが同時に実行された場合のタイムチャートの具体例である。
図５（ａ）〜（ｃ）それぞれに示す具体例には、１つ目の録画に対してオートチャプタ分割処理が仮に実行された場合の、１つめの録画に対する複数のチャプタそれぞれに付与されるカテゴリ情報が示されている。
【００４９】
図５（ａ）に示す具体例では、カテゴリ情報が「本編」であるチャプタの特定のタイミングＴａで、２つ目の録画が開始される。また、タイミングＴａが含まれ、カテゴリ情報が「本編」であるチャプタとは異なる他のチャプタの特定のタイミングＴｂで、２つ目の録画が終了する。すなわちタイミングＴａとタイミングＴｂとの間で、同時録画処理が実行される。タイミングＴａでは、同時録画が開始されると共にオートチャプタ処理が停止する。タイミングＴｂでは、同時録画が終了すると共にオートチャプタ処理が開始する。すなわちタイミングＴａとタイミングＴｂとの間でオートチャプタ処理は停止している。つまりこの間にチャプタ点は付与されず、この間に本来付与されるはずであった「ＣＭ」のカテゴリ情報は、この間の何れの区間に対しても付与されない。
【００５０】
同時録画処理が実行されると共にオートチャプタ処理が停止する区間に対して付与されるカテゴリ情報の態様は３つの例がある。
（例１）この例は、同時録画処理が実行されると共にオートチャプタ処理が停止する区間に対するカテゴリ情報として、「本編」が固定的に付与される例である。タイミングＴａの前、及び、タイミングＴｂの後は「本編」のカテゴリ情報が付与されているので、「本編」のカテゴリ情報が、タイミングＴａの前からタイミングＴｂの後まで連続することになる。
【００５１】
（例２）この例は、同時録画処理が実行されると共にオートチャプタ処理が停止する区間に対して、同時録画処理が開始されたタイミングにおけるカテゴリ情報である「本編」が引き継がれる例である。タイミングＴａの前、及び、タイミングＴｂの後は「本編」のカテゴリ情報が付与されているので、「本編」のカテゴリ情報が、タイミングＴａの前からタイミングＴｂの後まで連続することになる。
【００５２】
（例３）この例は、同時録画処理が実行されると共にオートチャプタ処理が停止する区間に対して、カテゴリ情報が付与されない例である。タイミングＴａよりも前が「本編」のカテゴリ情報となるようにタイミングＴａでチャプタが区切られ、タイミングＴｂよりも後が「本編」のカテゴリ情報となるようにタイミングＴｂでチャプタが区切られる。タイミングＴａからタイミングＴｂの間の区間のカテゴリ情報はない結果となる。
【００５３】
図５（ｂ）に示す具体例では、カテゴリ情報が「本編」であるチャプタの特定のタイミングＴａで、２つ目の録画が開始される。また、カテゴリ情報が「ＣＭ」である他のチャプタの特定のタイミングＴｃで、２つ目の録画が終了する。すなわちタイミングＴａとタイミングＴｃとの間で、同時録画処理が実行される。タイミングＴａでは、同時録画が開始されると共にオートチャプタ処理が停止する。タイミングＴｃでは、同時録画が終了すると共にオートチャプタ処理が開始する。すなわちタイミングＴａとタイミングＴｃとの間でオートチャプタ処理は停止している。つまりこの間にチャプタ点は付与されず、この間に本来付与されるはずであった「ＣＭ」のカテゴリ情報は、この間の何れの区間に対しても付与されない。
【００５４】
同時録画処理が実行されると共にオートチャプタ処理が停止する区間に対して付与されるカテゴリ情報の態様は３つの例がある。
（例１）この例は、同時録画処理が実行されると共にオートチャプタ処理が停止する区間に対するカテゴリ情報として、「本編」が固定的に付与される例である。タイミングＴａの前は「本編」のカテゴリ情報、タイミングＴｃの後は「ＣＭ」のカテゴリ情報が付与されているので、「本編」のカテゴリ情報が、タイミングＴａの前からタイミングＴｃまで連続することになる。
【００５５】
（例２）この例は、同時録画処理が実行されると共にオートチャプタ処理が停止する区間に対して、同時録画処理が開始されたタイミングにおけるカテゴリ情報である「本編」が引き継がれる例である。タイミングＴａの前は「本編」のカテゴリ情報、タイミングＴｃの後は「ＣＭ」のカテゴリ情報が付与されているので、「本編」のカテゴリ情報が、タイミングＴａの前からタイミングＴｃまで連続することになる。
【００５６】
（例３）この例は、同時録画処理が実行されると共にオートチャプタ処理が停止する区間に対して、カテゴリ情報が付与されない例である。タイミングＴａよりも前が「本編」のカテゴリ情報となるようにタイミングＴａでチャプタが区切られ、タイミングＴｃよりも後が「ＣＭ」のカテゴリ情報となるようにタイミングＴｃでチャプタが区切られる。タイミングＴａからタイミングＴｃの間の区間のカテゴリ情報はない結果となる。
【００５７】
図５（ｃ）に示す具体例では、カテゴリ情報が「ＣＭ」であるチャプタの特定のタイミングＴｄで、２つ目の録画が開始される。また、カテゴリ情報が「本編」である他のチャプタの特定のタイミングＴｂで、２つ目の録画が終了する。すなわちタイミングＴｄとタイミングＴｂとの間で、同時録画処理が実行される。タイミングＴｄでは、同時録画が開始されると共にオートチャプタ処理が停止する。タイミングＴｂでは、同時録画が終了すると共にオートチャプタ処理が開始する。すなわちタイミングＴｄとタイミングＴｂとの間でオートチャプタ処理は停止している。つまりこの間にチャプタ点は付与されない。
【００５８】
同時録画処理が実行されると共にオートチャプタ処理が停止する区間に対して付与されるカテゴリ情報の態様は３つの例がある。
（例１）この例は、同時録画処理が実行されると共にオートチャプタ処理が停止する区間に対するカテゴリ情報として、「本編」が固定的に付与される例である。タイミングＴｄの前は「ＣＭ」のカテゴリ情報、タイミングＴｂの後は「本編」のカテゴリ情報が付与されているので、「本編」のカテゴリ情報が、タイミングＴｄからタイミングＴｂの後まで連続することになる。
【００５９】
（例２）この例は、同時録画処理が実行されると共にオートチャプタ処理が停止する区間に対して、同時録画処理が開始されたタイミングにおけるカテゴリ情報である「ＣＭ」が引き継がれる例である。タイミングＴｄの前は「ＣＭ」のカテゴリ情報、タイミングＴｂの後は「本編」のカテゴリ情報が付与されているので、「ＣＭ」のカテゴリ情報が、タイミングＴｄの前からタイミングＴｂまで連続することになる。
【００６０】
（例３）この例は、同時録画処理が実行されると共にオートチャプタ処理が停止する区間に対して、カテゴリ情報が付与されない例である。タイミングＴｄよりも前が「ＣＭ」のカテゴリ情報となるようにタイミングＴｄでチャプタが区切られ、タイミングＴｂよりも後が「本編」のカテゴリ情報となるようにタイミングＴｂでチャプタが区切られる。タイミングＴｄからタイミングＴｂの間の区間のカテゴリ情報はない結果となる。
【００６１】
図５（ａ）〜（ｃ）それぞれに示した具体例だけでなく、同時録画処理が実行される前のカテゴリ情報と実行された後のカテゴリ情報とは、さまざまな組み合わせが発生することがある。例えば、実行前のカテゴリ情報が「ＣＭ」で実行後のカテゴリ情報が「ＣＭ」となる組み合わせ、実行前のカテゴリ情報が「本編」で実行後のカテゴリ情報が「音楽」となる組み合わせ、などである。どのような組み合わせとなった場合でも、前述した（例１）〜（例３）のような定義に基づいて、同時録画処理が実行される区間のカテゴリ情報が決定されることになる。
【００６２】
以上説明したように本実施形態によれば、同時録画処理とオートチャプタ分割処理とが同時に実行される場合、同時録画処理が実行される区間に対して一様に固定的なカテゴリ情報を付与するオートチャプタ分割処理が実行される。同時録画処理が実行される区間に付与されるカテゴリ情報は、同時録画の開始前、終了後の区間のカテゴリ情報に応じて付与される。すなわち同時録画処理と処理量の多くないオートチャプタ処理とが同時に実行されることになる。従って本実施形態に係るテレビジョン受像機１０は、録画処理を含む複数の処理を並行して確実に実行することを容易に可能とすることができる。
【００６３】
なお本発明の実施形態は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００６４】
１０…テレビジョン受像機、２１…放送波処理部Ａ、２２…放送波処理部Ｂ、２３…放送波処理部Ｃ、３１…操作部、３２…受光部、４１…信号処理制御部Ａ、４２…信号処理制御部Ｂ、５１…表示器、５２…スピーカ、６１…ＨＤＤ、９８…アンテナ、９９…リモコン、２０１…ＴＳ信号処理部Ａ、２０２…ＴＳ信号処理部Ｂ、２０３…録画処理部Ａ、２０４…録画処理部Ｂ、２０５…映像音声分析部、２０６…処理制御部。
【図１】
0005523907.tif 000002
【図２】
0005523907.tif 000003
【図３】
0005523907.tif 000004
【図４】
0005523907.tif 000005
【図５】
0005523907.tif 000006